(57)【特許請求の範囲】
【請求項１】
搬送向きに搬送されるシートに画像を記録する記録部と、
上記記録部より上記搬送向きの下流に配置されており、上記搬送向きと直交する幅方向に間隔を空けて複数が設けられた搬送ローラと、
上記各搬送ローラにそれぞれ対向して配置されており、上記搬送ローラとの間にシートを挟持する複数の第１拍車ローラと、
上記幅方向に隣り合う上記第１拍車ローラの間にそれぞれが配置された複数の第２拍車ローラと、
上記第１拍車ローラ及び上記第２拍車ローラより上記搬送向きの上流に配置されており、シートを上記搬送ローラ及び上記第１拍車ローラの挟持位置へ案内する第１ガイド面を有する第１ガイド部材と、
上記幅方向における上記第１拍車ローラ及び上記第２拍車ローラよりも外の位置に設けられた第３拍車ローラと、を具備しており、
上記第２拍車ローラは、上記幅方向に沿った視点において、上記挟持位置と重なっており、
上記第２拍車ローラの外周に沿った円形の仮想外周線は、上記幅方向に沿った視点において、上記第１ガイド面に沿った仮想直線に重ならず、
上記第３拍車ローラは、上記搬送向き及び上記幅方向と直交する方向において上記第１拍車ローラよりも上記搬送ローラの軸心を含む仮想平面に近接した位置であって、上記第２拍車ローラより上記搬送向きの下流に配置されている画像記録装置。
【請求項２】
上記第１ガイド部材は、上記幅方向の上記第３拍車ローラが配置された範囲に対応する位置に、シートを上記第３拍車ローラへ案内する第２ガイド面を有し、上記第２ガイド面は、上記第１ガイド面よりも上記搬送向きの下流に配置されている請求項１に記載の画像記録装置。
【請求項３】
上記第２ガイド面は、上記搬送向きにおいて、上記挟持位置の上流から下流まで延びている請求項２に記載の画像記録装置。
【請求項４】
上記第１ガイド部材は、上記第１拍車ローラ、上記第２拍車ローラ及び上記第３拍車ローラを支持するものである請求項１から３のいずれかに記載の画像記録装置。
【請求項５】
上記第１拍車ローラの外周に沿った円形の仮想外周線は、上記幅方向に沿った視点において、上記仮想直線に重ならない請求項１から４のいずれかに記載の画像記録装置。
【請求項６】
上記第２拍車ローラの仮想外周線は、上記搬送向き及び上記幅方向と直交する方向において上記搬送ローラの軸心を含む仮想平面との距離が最短になる位置が、上記挟持位置よりも搬送向きの下流に位置している請求項１から５のいずれかに記載の画像記録装置。
【請求項７】
搬送向きに搬送されるシートに画像を記録する記録部と、
上記記録部より上記搬送向きの下流に配置されており、上記搬送向きと直交する幅方向に間隔を空けて複数が設けられた搬送ローラと、
上記各搬送ローラにそれぞれ対向して配置されており、上記搬送ローラとの間にシートを挟持する複数の第１拍車ローラと、
上記幅方向に隣り合う上記第１拍車ローラの間にそれぞれが配置された複数の第２拍車ローラと、
上記第１拍車ローラ及び上記第２拍車ローラより上記搬送向きの上流に配置されており、シートを上記搬送ローラ及び上記第１拍車ローラの挟持位置へ案内する第１ガイド面を有する第１ガイド部材と、を具備しており、
上記第２拍車ローラの外周に沿った円形の仮想外周線は、上記搬送向き及び上記幅方向と直交する方向において上記搬送ローラの軸心を含む仮想平面との距離が最短になる位置が、上記挟持位置よりも当該仮想平面に近接しており且つ上記挟持位置よりも上記搬送向きの下流に位置しており、
上記第２拍車ローラは、上記幅方向に沿った視点において、上記挟持位置と重なっており、
上記搬送向き及び上記幅方向と直交する方向における上記挟持位置と同じ位置において、上記第２拍車ローラの一部は、上記挟持位置及び上記第１拍車ローラよりも上記搬送向きの上流に位置しており、
上記第１拍車ローラの外周に沿った円形の仮想外周線及び上記第２拍車ローラの上記仮想外周線は、上記幅方向に沿った視点において、上記第１ガイド面に沿った仮想直線に重ならない画像記録装置。
【請求項８】
上記第１ガイド部材と対向し、シートを上記挟持位置へ案内する第３ガイド面を有する第２ガイド部材を更に備え、
上記幅方向に沿った視点において、上記第１ガイド面に沿った仮想直線は、上記第３ガイド面と交差している請求項１から７のいずれかに記載の画像記録装置。
【請求項９】
上記第２ガイド部材は、上記搬送ローラのローラ軸に当接している請求項８に記載の画像記録装置。
【発明の詳細な説明】
【技術分野】
【０００１】
本発明は、記録部において画像が記録されるシートを波打った状態とすることができる画像記録装置に関する。
【背景技術】
【０００２】
従来より、記録部に設けられたノズルから、記録用紙等のシートにインク滴を吐出して画像を記録するインクジェット記録装置が知られている。インクジェット記録装置では、記録部において画像が記録されるシートを支持するプラテンが設けられている。プラテン上にシートが搬送されると、記録部は、プラテン上のシートにインク滴を吐出する。これにより、シートに画像が記録される。
【０００３】
前述されたインクジェット記録装置では、例えばシートが普通紙等の場合に、インクが付着したシートの一部分が膨潤してプラテンから浮き上がる現象（コックリング）が発生することがある。コックリングが発生すると、プラテンから浮き上がったシートの一部分が、記録部に接触したり、シートを案内するガイド部材と接触したりすることにより、シートに記録された画像が乱れたり、紙詰まりが生じたりするおそれがある。
【０００４】
特許文献１には、プラテンより搬送向きの下流に、複数の排紙ローラと、複数の第１拍車ローラ及び複数の第２拍車ローラとが設けられた構成が開示されている。複数の排紙ローラは、搬送向きと直交する幅方向に沿って各々が間隔を空けて配置されており、シートにおける画像が記録された面とは反対面に接する。第１拍車ローラのそれぞれは、複数の排紙ローラのそれぞれの上方に対向して設けられており、相互に対向する第１拍車ローラ及び排紙ローラによってシートが挟持されて搬送される。第２拍車ローラのそれぞれは、幅方向において隣り合う第１拍車ローラの間に配置されており、最下端の位置が排紙ローラの最上端よりも低くなっている。
【０００５】
第２拍車ローラのそれぞれは、プラテンから搬送されるシートに対して、画像が記録された面に当接し、その当接部分を排紙ローラの最上端よりも下方へ押し下げる。これにより、シートは、幅方向に沿って波打った状態とされる。このような状態では、プラテン上に支持されたシートにインクが付着してシートの一部分が膨潤しても、シートがプラテンから浮き上がる現象（コックリング）の発生を抑制できる。
【先行技術文献】
【特許文献】
【０００６】
【特許文献１】特開２００３−１７６０７１号公報
【発明の概要】
【発明が解決しようとする課題】
【０００７】
特許文献１の構成では、第２拍車ローラが第１拍車ローラよりも搬送向きの下流に設けられているために、第２拍車ローラは、幅方向において隣り合う第１拍車ローラ及び排紙ローラによってシートが挟持された状態となった後に、それぞれの挟持位置の間において、シートを排紙ローラの最上端より下方へ押し下げることになる。この場合、例えば、幅方向において隣り合う挟持位置の間でシートが凹まずに平坦になっていると、その平坦な箇所を凹状に窪ませることが困難である。このため、シートを幅方向に沿って波打った状態とすることができない虞がある。
【０００８】
また、上記の構成に対して、第２拍車ローラを第１拍車ローラよりも上流に設けた場合には、シートを凹状に窪ませるために第２拍車ローラの最下端が挟持位置よりも下方に配置しなければならない特性上、シートの第２拍車ローラへの突入角度によっては、第２拍車ローラに当接したシートに大きな負荷がかかり、シートの一部分の破損、それによる紙詰まりの発生等が生じるという問題がある。
【０００９】
本発明は、前述された事情に鑑みてなされたものであり、その目的は、記録部によって画像が記録されるシートを、容易にシートの搬送向きとは直交する幅方向に沿って波打った状態とすることができる画像記録装置を提供することにある。
【課題を解決するための手段】
【００１０】
(1)  本発明に係る画像記録装置は、搬送向きに搬送されるシートに画像を記録する記録部と、上記記録部より上記搬送向きの下流に配置されており、上記搬送向きと直交する幅方向に間隔を空けて複数が設けられた搬送ローラと、上記各搬送ローラにそれぞれ対向して配置されており、上記搬送ローラとの間にシートを挟持する複数の第１拍車ローラと、上記幅方向に隣り合う上記第１拍車ローラの間にそれぞれが配置された複数の第２拍車ローラと、上記第１拍車ローラ及び上記第２拍車ローラより上記搬送向きの上流に配置されており、シートを上記搬送ローラ及び上記第１拍車ローラの挟持位置へ案内する第１ガイド面を有する第１ガイド部材と、を具備しており、上記第２拍車ローラは、上記幅方向に沿った視点において、上記挟持位置と重なっており、上記第２拍車ローラの外周に沿った円形の仮想外周線は、上記幅方向に沿った視点において、上記第１ガイド面に沿った仮想直線に重ならない。
【００１１】
このような構成により、第１ガイド部材の第１ガイド面によって案内されるシートは、挟持位置へ到達する前、或いはシートの挟持と同時に、第２拍車ローラに当接する。これにより、第２拍車ローラによってシートを容易に凹状に窪んだ状態にできる。また、第１ガイド面によって案内されるシートは、第２拍車ローラに対する突入角度（接触角度）が規制されるために、シートが第２拍車ローラに当接する際にシートに大きな負荷が加わるおそれがない。これにより、シートが破損することが抑制され、第２拍車ローラにおける紙詰まりの発生が抑制される。また、第２拍車ローラは、幅方向に沿った視点において挟持位置と重なっているため、効果的にシートを波打った状態とすることができる。
【００１２】
(2)  好ましくは、上記第１拍車ローラの外周に沿った円形の仮想外周線は、上記幅方向に沿った視点において、上記仮想直線に重ならない。
【００１３】
これにより、第１ガイド部材の第１ガイド面に案内されるシートは、第１拍車ローラに対する突入角度が規制されるために、シートが第１拍車ローラに当接する際にシートに大きな負荷が加わるおそれがない。これにより、シートが破損することを抑制され、第１拍車ローラにおける紙詰まりの発生を抑制することができる。
【００１４】
(3)  好ましくは、上記幅方向における上記第1拍車ローラ及び上記第２拍車ローラよりも外の位置に第３拍車ローラが設けられており、上記第３拍車ローラは、上記搬送向き及び上記幅方向と直交する方向において上記第１拍車ローラよりも上記搬送ローラに近接した位置であって、上記第２拍車ローラより上記搬送向きの下流に配置されている。
【００１５】
この場合、シートを、第１拍車ローラ及び搬送ローラによって挟持するとともに第２拍車ローラで押さえてシートの位置を安定させた後に、第２拍車ローラよりも外に位置するシートの左右方向の両端部が、第３拍車ローラによって確実に押し下げられる。これにより、シートの左右方向の両端部における上方への跳ね上がりが抑制され、第３拍車ローラにおける紙詰まりの発生を抑制できる。
【００１６】
(4)  好ましくは、上記第１ガイド部材は、上記幅方向の上記第３拍車ローラが配置された範囲に対応する位置に、シートを上記第３拍車ローラへ案内する第２ガイド面を有し、上記第２ガイド面は、上記第１ガイド面よりも上記搬送向きの下流に配置されている。
【００１７】
この場合、シートにおける幅方向の両端部が上方に跳ね上がった状態であっても、第２ガイド面によって案内されるために、第３拍車ローラに当接する際にシートに大きな負荷が加わるおそれがない。これにより、シートが破損することが抑制され、第３拍車ローラにおいて紙詰まりが発生することを抑制できる。
【００１８】
(5)  好ましくは、上記第２ガイド面は、上記搬送向きにおいて、上記挟持位置の上流から下流まで延びている。
【００１９】
これにより、シートにおける幅方向の両端部が第２ガイド面によって安定的に第３拍車ローラに案内される。
【００２０】
(6)  好ましくは、上記第１ガイド部材は、上記第１拍車ローラ及び上記第２拍車ローラ及び第３拍車ローラを支持するものである。
【００２１】
これにより、第１拍車ローラ、第２拍車ローラ、第３拍車ローラのそれぞれの位置決めが容易になる。
【００２２】
(7)  好ましくは、上記第２拍車ローラの第２仮想外周線は、第２搬送ローラの軸心を含む仮想平面との距離が最短になる位置が、上記挟持位置よりも搬送向きの下流に位置している。
【００２３】
これにより、挟持位置よりシート搬送向きの下流で第２拍車ローラによってシートに負荷が加わるために、第２拍車ローラの当接時にシートに加わる負荷を抑制でき、シートが詰まったり、シートの破損等の発生が抑制できる。
【００２４】
(8)  好ましくは、上記第１ガイド部材と対向し、シートを上記挟持位置へ案内する第３ガイド面を有する第２ガイド部材を更に備え、上記幅方向に沿った視点において、上記第１ガイド面に沿った仮想直線は、上記第３ガイド面と交差している。
【００２５】
この場合、第２ガイド部材の第３ガイド面に案内されるシートは、第１ガイド部材の第１ガイド面によってガイドされてシートの先端が挟持位置に向けられた後に、第２拍車ローラに当接する。これにより、シートが第２拍車ローラに当接する際にシートに大きな負荷が加わるおそれがなく、第２拍車ローラでの紙詰まりの発生を抑制できる。
【００２６】
(9)  好ましくは、上記第２ガイド部材は、上記搬送ローラのローラ軸に当接して、上記第３ガイド面が上記挟持位置に対して所定状態になっている。
【００２７】
この場合、第２ガイド部材の第３ガイド面によって、シートの幅方向の端部が挟持位置を安定的に通過する。
【発明の効果】
【００２８】
本発明によれば、第２拍車ローラによって、シートを容易に凹状に窪んだ状態にすることができる。
【図面の簡単な説明】
【００２９】
【図１】図１は、本発明の実施形態の一例である複合機１０の斜視図である。
【図２】図２は、複合機１０の構成を示す模式図である。
【図３】図３は、第１ガイドレール３６及び第２ガイドレール３７の上方からの平面図である。
【図４】図４は、図３において第２ガイドレール３７を取り除いた状態の斜視図である。
【図５】図５は、図４の平面図である。
【図６】図６は、図３のＡ−Ａ線に沿った断面図である。
【図７】図７は、図３のＢ−Ｂ線に沿った断面図である。
【図８】図８は、下流波形状付与機構４１の構成を説明するための模式図である。
【図９】図９は、第１ガイド部材４６の一部を示す斜視図である。
【図１０】図１０は、図３のＨ−Ｈ線に沿った断面図である。
【発明を実施するための形態】
【００３０】
以下、適宜図面を参照して本発明の実施形態について説明する。なお、以下に説明される実施形態は本発明の一例にすぎず、本発明の要旨を変更しない範囲で、本発明の実施形態を適宜変更できることは言うまでもない。以下の説明においては、複合機１０が使用可能に設置された図１の状態を基準として、上下方向７、前後方向８、幅方向（左右方向）９が定義される。
【００３１】
［複合機１０の全体構成］
図１に示される複合機１０（本発明の画像記録装置の一例）は、プリンタ機能、ファクシミリ機能、コピー機能等の各種の機能を有している。複合機１０は、概ね薄型の直方体形状に構成された装置本体１１と、装置本体１１の下部に対して着脱可能になった給送トレイ１３とを有している。給送トレイ１３は、図１に示されるように、装置本体１１に装着された状態で、装置本体１１に対して前方に引き出されることによって装置本体１１に対して非装着状態になる。
【００３２】
図２に示されるように、装置本体１１内の上部には、被記録媒体に画像を記録する記録部３１が設けられている。装置本体１１に装着された給送トレイ１３は、記録部３１の下方に位置しており、記録部３１で画像が形成される複数枚のシート（被記録媒体）が上下に積み重ねた状態で収容可能になっている。本実施形態では、給送トレイ１３内に、Ａ４サイズの普通紙である記録用紙１４が、シートとして、長手方向を前後方向８に沿った状態で収容されている。
【００３３】
装置本体１１の内部には、給送トレイ１３内に収容された最上部の１枚の記録用紙１４を後方へ向けて搬送する給送部１６と、給送トレイ１３から後方に向けて搬送される記録用紙１４を上方へ案内する給送ガイド部材１５とが設けられている。給送ガイド部材１５は、装置本体１１内における背面に近接した位置に配置されている。
【００３４】
給送部１６は、幅方向９に沿って配置された給送ローラ１６Ａと、給送ローラ１６Ａを上下方向７に移動可能に支持する支持アーム１６Ｂとを有している。支持アーム１６Ｂは、幅方向９に沿った支持軸１６Ｄに回動可能に支持されており、給送ローラ１６Ａは、支持アーム１６Ｂの先端部に回転可能に支持されている。給送ローラ１６Ａは、支持アーム１６Ｂが支持軸１６Ｄを中心として上下方向７に回動することにより、給送トレイ１３内に収容された最上部の記録用紙１４に当接する位置と、当該記録用紙１４から上方に離間した位置とに移動する。給送ローラ１６Ａは、動力伝達機構１６Ｃによって図示しないモータの動力が伝達されることによって回転する。
【００３５】
給送ローラ１６Ａが、給送トレイ１３内に収容された最上部の記録用紙１４に当接した状態で回転されると、当該記録用紙１４が後方に向けて給送される。給送トレイ１３から給送される記録用紙１４は、給送ガイド部材１５の下端部へ搬送される。
【００３６】
給送ガイド部材１５には、記録用紙１４が通過する給送路１５Ｃが設けられている。給送路１５Ｃは、装置本体１１の背面に向かって突出した円弧状になっており、給送ガイド部材１５にて案内される記録用紙１４は、給送ガイド部材１５の上端部から前方に向かって搬送される。
【００３７】
なお、給送トレイ１３内の記録用紙１４は、幅方向９の中央部が、給送路１５Ｃの幅方向９の中央部に沿った状態（中央基準）で搬送される。また、複合機１０は、Ａ４サイズの記録用紙１４に限らず、これよりも小サイズの記録用紙、例えばハガキ（普通紙よりも剛性の高い）も、給送路１５Ｃへ中央基準で給送可能になっている。
【００３８】
給送ガイド部材１５の上端部に近接した前方位置には、給送ガイド部材１５の上端部を通過した記録用紙１４を記録部３１の下方へ搬送する搬送ローラ対２１が設けられている。搬送ローラ対２１の前方、すなわち、搬送ローラ対２１による記録用紙１４の搬送向き（以下、シート搬送向き６（図２参照）とする）には、記録部３１の下方において記録用紙１４を支持するプラテン３５が設けられている。プラテン３５に対してシート搬送向き６の上流及び下流には、記録用紙１４に幅方向９に沿った波形状を付与する上流波形状付与機構６１及び下流波形状付与機構４１が設けられている。
【００３９】
搬送ローラ対２１は、給送ガイド部材１５を通過した記録用紙１４を、プラテン３５と記録部３１との間に形成された搬送路２９に搬送する。搬送路２９は、下流波形状付与機構４１を介して、排紙トレイ１７にまで達している。
【００４０】
搬送ローラ対２１は、給送ガイド部材１５を通過した記録用紙１４の上面（第１面）に当接する１つの第１搬送ローラ２２と、記録用紙１４の下面（第２面）に当接する複数のピンチローラ２６とを有している。給送ガイド部材１５を通過した記録用紙１４は、回転状態になった第１搬送ローラ２２及びピンチローラ２６によって挟持されて、プラテン３５上に搬送される。
【００４１】
プラテン３５の上方に設けられた記録部３１は、それぞれが幅方向９に沿って配置された第１ガイドフレーム３６及び第２ガイドフレーム３７によって支持されている。第１ガイドフレーム３６及び第２ガイドフレーム３７は、シート搬送向き６に一定の間隔を空けた状態で、幅方向９に沿って延びている。
【００４２】
記録部３１は、第１ガイドフレーム３６及び第２ガイドフレーム３７の間にわたってスライド可能に支持されたキャリッジ３２と、キャリッジ３２の下部に取り付けられた記録ヘッド３３とを有している。キャリッジ３２は、第１ガイドフレーム３６及び第２ガイドフレーム３７に沿って、幅方向９に沿って往復移動可能になっている。
【００４３】
記録ヘッド３３は、下方に向かってインクを吐出する複数のノズル３４を備えている。各ノズル３４には、インクカートリッジ（不図示）からインクが供給される。複数のノズル３４は、シート搬送向き６に沿った列状に配置されており、各ノズル３４の下端は、記録ヘッド３３の下面であるノズル面３４Ａに開口している。ノズル面３４Ａは、前後方向８及び幅方向９に沿った平面である。
【００４４】
記録部３１の下方に設けられたプラテン３５は、搬送ローラ対２１によって搬送される記録用紙１４を、ノズル面３４Ａに平行な状態で支持する。
【００４５】
記録部３１は、搬送ローラ対２１によって搬送される記録用紙１４がプラテン３５上の所定位置になると、記録用紙１４の搬送が停止される。このような状態で、キャリッジ３２がシート搬送向き６とは直交する幅方向９にスライドされるとともに、そのスライドの間に記録ヘッド３３のノズル３４からインクが選択的に吐出される記録処理が実行される。その後、プラテン３５上の記録用紙１４が搬送ローラ対２１によって所定の距離だけ搬送される搬送処理と、記録ヘッド３３による記録処理とが繰り返し実行されることにより、記録用紙１４の全体にわたって画像が記録される。
【００４６】
プラテン３５に対してシート搬送向き６に設けられた下流波形状付与機構４１は、プラテン３５上に支持された記録用紙１４をシート搬送向き６に搬送するとともに、プラテン３５上の記録用紙１４に幅方向９に沿った波形状を付与する。下流波形状付与機構４１を通過した記録用紙１４は、排紙トレイ１７上に排出される。
【００４７】
［搬送ローラ対］
搬送ローラ対２１の第１搬送ローラ２２は、第１ガイドフレーム３６の幅方向９の両端部を支持するサブフレーム３９（図３参照）にそれぞれ支持されている。なお、図３に示されるように、第２ガイドフレーム３７も、幅方向９の両端部が、サブフレーム３９のそれぞれに支持されている。第１搬送ローラ２２には、図示しないモータの回転が伝達されて、図２に矢印Ｄ１で示す方向に回転される。
【００４８】
複数のピンチローラ２６は、第１搬送ローラ２２の下方に設けられており、それぞれが幅方向９に間隔を空けた状態でローラホルダ（図示せず）に支持されている。ローラホルダは、各ピンチローラ２６が、第１搬送ローラ２２に接した状態から離間した状態になるように移動可能になっている。第１搬送ローラ２２に接した各ピンチローラ２６は、第１搬送ローラ２２の回転に追従して回転する。
【００４９】
［上流波形状付与機構］
図３、図４に示されるように、上流波形状付与機構６１は、第１ガイドフレーム３６の下面に取り付けられた７個の上流当接部材６２と、幅方向９の両端部にそれぞれ設けられた２つの端部当接部材６３とを有している。また、後述のプラテン３５に設けられたメインリブ３５Ｇも、上流波形状付与機構６１を構成する。
【００５０】
７個の上流当接部材６２は、幅方向９の中央部に位置する３個が中央波形状付与部６１Ａを構成し、中央波形状付与部６１Ａに対して幅方向９の両側にそれぞれ設けられた２個が、１組の側部波形状付与部６１Ｂを構成している。中央波形状付与部６１Ａにおける中央の上流当接部材６２は、プラテン３５における幅方向９の中央に対応する位置に設けられている。中央波形状付与部６１Ａを構成する３個の上流当接部材６２は、一定の間隔Ｇ１を空けて配置されている。これら３個の上流当接部材６２は、当該３個の上流当接部材６２だけが当接されるような幅方向９に沿った長さの小サイズの記録用紙（例えば、ハガキ）に対して波形状を付与せずに、Ａ４サイズの記録用紙１４に対して波形状を付与するために設けられている。ハガキが搬送される場合には、当該３個の上流当接部材６２がハガキに当接することにより、プラテン３５の全体が下方に移動する。これにより、ハガキには波形状が付与されない。
【００５１】
図３に示されるように、側部波形状付与部６１Ｂを構成する２個の上流当接部材６２は、上記間隔Ｇ１よりも短い間隔Ｇ２を空けて配置されている。中央波形状付与部６１Ａの幅方向９の両端の上流当接部材６２と、側部波形状付与部６１Ｂにおける中央波形状付与部６１Ａに近接した上流当接部材６２とは上記間隔Ｇ１に等しい間隔が空けられている。
【００５２】
７個の上流当接部材６２は、それぞれ同じ形状になっており、図７に示されるように、第１ガイドレール３６の下面に取り付けられるベース部６２Ａと、ベース部６２Ａから垂下された状態になった接続部６２Ｂと、接続部６２Ｂの下端部に設けられた当接部６２Ｃとを有している。上流当接部材６２は、合成樹脂（例えばポリアセタール（ＰＯＭ））によって一体的に成形されている。
【００５３】
ベース部６２Ａは、第１ガイドレール３６の下面に沿って配置されており、第１ガイドレール３６に係止される複数の係止部６２Ｄを有している。各係止部６２Ｄは、ベース部６２Ａから上方に突出している。第１ガイドレール３６には、各係止部６２Ｄが挿入される開口３６Ａが設けられている。
【００５４】
接続部６２Ｂは、幅方向９に沿った長さがほぼ一定になった帯板状であって、ベース部６２Ａの前端部から第１搬送ローラ２２の外周部分に沿うように、前方に突出した湾曲状に形成されている。接続部６２Ｂの前端部は、ベース部６２Ａの前方且つ下方に位置している。接続部６２Ｂは、上下方向７及び前後方向８に移動し得る可撓性を有している。
【００５５】
接続部６２Ｂの下端部に設けられた当接部６２Ｃは平板状になっており、平面視で、前側になるにつれて幅方向９に沿った長さが順次短くなった三角形状に形成されている。当接部６２Ｃは、記録部３１におけるノズル３４の位置よりも、記録用紙１４の搬送向きの上流に位置している。
【００５６】
当接部６２Ｃは、搬送向きの下流に位置する先端部が最も下方に位置するように傾斜している。また、当接部６２Ｃの上記先端部は、プラテン３５に設けられたメインリブ３５Ｇの上端部よりも低くなっている。
【００５７】
図６に示されるように、上流当接部材６２の当接部６２Ｃが記録用紙１４の上面に当接する位置は、搬送ローラ対２１による記録用紙１４の挟持位置ＮＰ１からシート搬送向き６の下流に距離Ｌ１だけ離れている。
【００５８】
全ての上流当接部材６２の幅方向９の両外にそれぞれ設けられた端部当接部材６３は、図７に示されるように、上流当接部材６２と同様に、ベース部６３Ａと、接続部６３Ｂと、当接部６３Ｃとを有している。当接部６３Ｃは、平面視で四角形状になっている。端部当接部材６３のその他の構成は、上流当接部材６２と概略同様の構成になっている。端部当接部材６３の当接部６３Ｃは、搬送ローラ対２１によって搬送される記録用紙１４の幅方向９の両端部を下方に押圧する。
【００５９】
［プラテン］
図６及び図７に示されるように、プラテン３５は、シート搬送向き６の上流に位置する端部が、第１ガイドレール３６の下方に位置しており、シート搬送向き６の下流に位置する端部が、第２ガイドレール３７の下方に位置している。プラテン３５は、上流当接部材６２の下方位置から、第２搬送ローラ４２Ａと第１拍車ローラ４３Ａとによる記録用紙１４の挟持位置よりもシート搬送向き６の上流位置まで連続したプラテン本体部３５Ａを有している。
【００６０】
プラテン本体部３５Ａは、シート搬送向き６とは直交する幅方向９に沿った帯板状に構成されている。プラテン本体部３５Ａは、第２搬送ローラ４２Ａのローラ軸４２Ｂに当接して、ローラ軸４２Ｂを中心として回動可能に支持されている。
【００６１】
平板状のプラテン本体部３５Ａには、中央波形状付与部６１Ａにおける隣り合う上流当接部材６２の間に３本のメインリブ３５Ｇが設けられている。メインリブ３５Ｇのそれぞれは、前後方向８に沿った状態で、プラテン本体部３５Ａの上面から上方に突出している。また、中央波形状付与部６１Ａの幅方向９の両端の上流当接部材６２と、側部波形状付与部６１Ｂにおける中央波形状付与部６１Ａに近接した上流当接部材６２との間のそれぞれにも、同様の構成の１本のメインリブ３５Ｇが設けられている。
【００６２】
さらに、側部波形状付与部６１Ｂにおける一対の上流当接部材６２の間にも、同様の構成の２本のメインリブ３５Ｇが幅方向９に間隔を空けて設けられている。また、側部波形状付与部６１Ｂにおける端部当接部材６３に近接した上流当接部材６２と当該端部当接部材６３との間にも、それぞれ、同様の構成の２本のメインリブ３５Ｇが幅方向９に間隔を空けて設けられている。
【００６３】
各メインリブ３５Ｇは、それぞれ、プラテン本体部３５Ａの上面から一定の高さで突出しており、それぞれの上面は平坦であって概略同一の高さになっている。各メインリブ３５Ｇは、それぞれ、プラテン本体部３５Ａにおけるシート搬送向き６の上流の端部から、シート搬送向き６の中程よりも下流寄りの位置まで延出している。
【００６４】
さらに、プラテン本体部３５Ａには、中央波形状付与部６１Ａにおける中央の上流当接部材６２の下方に対応する位置に、１本のサブリブ３５Ｈが設けられている。サブリブ３５Ｈは、前後方向８に沿った状態で、プラテン本体部３５Ａの上面から上方に突出している。サブリブ３５Ｈにおける上面は、中央の上流当接部材６２の下方においては低くなっているが、当該上流当接部材６２からシート搬送向き６の下流においては、下流になるにつれて徐々に高くなるように傾斜している。さらに、その傾斜部分に連続したシート搬送向き６の下流においては、メインリブ３５Ｇよりも突出高さが低い一定の突出高さになっている。サブリブ３５Ｈにおけるシート搬送向き６の下流位置は、メインリブ３５Ｇにおけるシート搬送向き６の下流位置と略同一の位置になっている。
【００６５】
また、プラテン本体部３５Ａには、中央波形状付与部６１Ａの幅方向９の両端の上流当接部材６２の下方に、同様の構成の一対のサブリブ３５Ｈが幅方向９に間隔を空けてそれぞれ設けられている。これら一対のサブリブ３５Ｈの間には、当該サブリブ３５Ｈに対してシート搬送向き６の下流位置に、１本の補助リブ３５Ｋが設けられている。この補助リブ３５Ｋは、両側のサブリブ３５Ｈとは、シート搬送向き６の下流にずれていること以外は概略同様の構成になっている。
【００６６】
プラテン本体部３５Ａには、側部波形状付与部６１Ｂを構成する各上流当接部材６２の下方にも、同様の構成の１本のサブリブ３５Ｈがそれぞれ設けられている。また、プラテン本体部３５Ａには、側部波形状付与部６１Ｂにおける幅方向９両外の位置にも、同様の構成の１本のサブリブ３５Ｈが設けられている。
【００６７】
上流当接部材６２における当接部６２Ｃの上面は平坦であって、前述のように、プラテン本体部３５Ａに設けられたメインリブ３５Ｇよりも低くなっている。従って、当接部６２Ｃが記録用紙１４の上面（第１面）に当接すると、記録用紙１４は、当該当接部６２Ｃの幅方向９の両外に位置するメインリブ３５Ｇの間において凹状に窪んだ状態になる。
【００６８】
サブリブ３５Ｈは、隣り合うメインリブ３５Ｇの間に、１本または複数本が位置しており、当接部６２Ｃによって記録用紙１４が凹状に窪んだ状態とされると、それぞれの凹状に窪んだ部分の下面を支持する。一対の補助リブ３５Ｋは、中央波形状付与部６１Ａによって波形状が付与されないような小サイズの記録用紙の幅方向９の両側の端部を下流波形状付与機構４１へ案内する。
【００６９】
［下流波形状付与機構］
図６及び図７に示されるように、下流波形状付与機構４１は、幅方向９に沿って配置された複数の第２搬送ローラ４２Ａと、第２搬送ローラ４２Ａの上方に配置された第１ガイド部材４６と、第１ガイド部材４６にそれぞれ支持された複数の第１拍車ローラ４３Ａ、複数の第２拍車ローラ４４Ａ、第３拍車ローラ４５Ａとを有している。
【００７０】
複数の第２搬送ローラ４２Ａは、記録部３１で画像が記録された記録用紙１４の上面（第１面）とは反対の下面（第２面）に当接する。第２搬送ローラ４２Ａのそれぞれの軸心部には、１本のローラ軸４２Ｂが挿通している。第１拍車ローラ４３Ａ、第２拍車ローラ４４Ａ、第３拍車ローラ４５Ａのそれぞれは、記録用紙１４の上面に当接する。複数の第１拍車ローラ４３Ａのそれぞれは、第２搬送ローラ４２Ａのそれぞれの上方に対向して配置されている。
【００７１】
プラテン本体部３５Ａのシート搬送向き６の下流には、プラテン本体部３５Ａから搬送される記録用紙１４を第２搬送ローラ４２Ａの上方へ案内する第２ガイド部材４８が設けられている。第２ガイド部材４８の下方には、第２搬送ローラ４２Ａの軸心部にローラ軸４２Ｂが配置されている。第２ガイド部材４８には、ローラ軸４２Ｂの上方に、幅方向９に間隔を空けて複数の開口部４８Ｂ（図７参照）が設けられている。開口部４８Ｂは、隣り合う上流当接部材６２の間のシート搬送向き６の下流に対応する位置、端部当接部材６３のそれぞれと各端部当接部材６３に隣り合う上流当接部材６２との間のシート搬送向き６の下流にそれぞれ対応する位置、上流当接部材６２及び端部当接部材６３のシート搬送向き６の下流にそれぞれ対応する位置に設けられている。隣り合う上流当接部材６２の間に対応する位置、端部当接部材６３のそれぞれと各端部当接部材６３に隣り合う上流当接部材６２との間にそれぞれ対応する位置に設けられた開口部４８Ｂ内には、第２搬送ローラ４２Ａがそれぞれ配置されている。第２搬送ローラ４２Ａは、第２ガイド部材４８の開口部４８Ｂを通じて、その一部が第２ガイド部材４８の上方へ突出している。
【００７２】
図６及び図７に示されるように、第２ガイド部材４８には、記録用紙１４をプラテン本体部３５Ａから第２搬送ローラ４２Ａ上に案内する下部ガイド面（本発明の「第３ガイド面」の一例）４８Ａが設けられている。下部ガイド面４８Ａは、シート搬送向き６及び幅方向９とは直交する方向における第１拍車ローラ４３Ａの軸心ＣＬ１（図８参照）までの距離が、シート搬送向き６の下流になるにつれて接近するように傾斜している。
【００７３】
第２搬送ローラ４２Ａのそれぞれは、ゴム等の弾性部材によって円筒形状に構成されており、上記ローラ軸４２Ｂに同軸状態で嵌合されている。これら８個の第２搬送ローラ４２Ａのそれぞれは、第２ガイド部材４８の上面よりも上方に突出している。ローラ軸４２Ｂは、図示しない伝動機構を介して、モータの回転力が伝達されて、図２に矢印Ｄ２で示す方向に回転される。これにより、全ての第２搬送ローラ４２Ａが一体的に回転する。
【００７４】
第１拍車ローラ４３Ａ、第２拍車ローラ４４Ａ、第３拍車ローラ４５Ａのそれぞれを支持する第１ガイド部材４６は、搬送路２９の上方に配置されている。第１ガイド部材４６は、幅方向９の長さがシート搬送向き６の長さよりも長くなっている。図６に示されるように、第２搬送ローラ４２Ａの上方に対向して配置された第１拍車ローラ４３Ａは、第１ガイド部材４６におけるシート搬送向き６の上流の端部に支持されている。
【００７５】
図４において拡大して示されるように、第１拍車ローラ４３Ａには、円板状の拍車部４３Ｃが幅方向９に間隔を空けて２つ設けられている。拍車部４３Ｃのそれぞれの外周面には、周方向に沿って凹凸部が設けられている。第１拍車ローラ４３Ａの軸心部には、幅方向９に沿ったローラ軸４３Ｂが挿通している。第１ガイド部材４６には、第１拍車ローラ４３Ａにおける幅方向９の両側に、前後方向８に沿って配置されたローラ支持部４６Ｃが設けられており、各ローラ支持部４６Ｃに、ローラ軸４３Ｂにおける幅方向９の両端部がそれぞれ回転可能に支持されている。
【００７６】
図８は、下流波形状付与機構４１の構成を説明するための模式図である。なお、図８において、第１拍車ローラ４３Ａ、第２拍車ローラ４４Ａ、第３拍車ローラ４５Ａのそれぞれは、外周に沿った円形の第１仮想外周線ＶＬ１、第２仮想外周線ＶＬ２、第３仮想外周線ＶＬ３で示されている。
【００７７】
第１拍車ローラ４３Ａにおける外周に沿った円形の第１仮想外周線ＶＬ１は、下方の第２搬送ローラ４２Ａの外周面に接した状態になっており、第２搬送ローラ４２Ａが回転されると、その回転に追従して第１拍車ローラ４３Ａが回転される。第１拍車ローラ４３Ａの第１仮想外周線ＶＬ１と、第２搬送ローラ４２Ａとの接触位置は、記録用紙１４が挟持される挟持位置ＮＰ２となっており、プラテン３５から搬送される記録用紙１４が挟持位置ＮＰ２にて挟持されて、シート搬送向き６の下流に搬送される。
【００７８】
図５に示されるように、第１ガイド部材４６には、隣り合う第２搬送ローラ４２Ａの間に対応する位置に、第２拍車ローラ４４Ａがそれぞれ支持されている。第２拍車ローラ４４Ａのそれぞれは、前述した上流波形状付与機構６１における７個の上流当接部材６２のそれぞれに対して幅方向９の位置が対応（一致）しており、各上流当接部材６２よりシートの搬送向きの下流に位置されている。
【００７９】
第２拍車ローラ４４Ａのそれぞれは、図４において拡大して示されるように、第１拍車ローラ４３Ａの各拍車部４３Ｃと同様の形状の１つの拍車部４４Ｃを有しており、それぞれの軸心部には、幅方向９に沿ったローラ軸４４Ｂが挿通している。ローラ軸４４Ｂにおける幅方向９の両端部が、第１ガイド部材４６に前後方向８に沿って設けられた第２ローラ支持部４６Ｅに回転可能に支持されている。
【００８０】
図８に示されるように、第２拍車ローラ４４Ａは、幅方向９に沿った視点において、挟持位置ＮＰ２と重なった状態になっている。すなわち、幅方向９に沿った視点において、第２拍車ローラ４４Ａの外周に沿った円形の第２仮想外周線ＶＬ２内に、挟持位置ＮＰ２が位置している。第２拍車ローラ４４Ａの軸心ＣＬ２は、第１拍車ローラ４３Ａの軸心ＣＬ１よりも低い位置になっている。すなわち、シート搬送向き６及び幅方向９のそれぞれと直交する方向（上下方向７）における第２拍車ローラ４４Ａの軸心ＣＬ２と、第２搬送ローラ４２Ａの軸心ＣＬＲを含むシート搬送向き６に沿った仮想平面ＶＦＲとの距離（上下方向７の距離）Ｌ４は、第１拍車ローラ４３Ａの軸心ＣＬ１と仮想平面ＶＦＲとの距離Ｌ３よりも短くなっている。
【００８１】
この場合、第２拍車ローラ４４Ａの外周に沿った円形の第２仮想外周線ＶＬ２は、第２搬送ローラ４２Ａの軸心ＣＬＲを含む仮想平面ＶＦＲとの距離が最短になる位置ＬＰが、第２搬送ローラ４２Ａと第１拍車ローラ４３Ａとによる記録用紙１４の挟持位置ＮＰ２よりも搬送向きの下流に距離Ｌ２だけ離れており、この最短位置ＬＰにおいて、記録用紙１４と当接する。従って、上記挟持位置ＮＰ２よりも搬送向きの下流に距離Ｌ２だけ離れた位置において、第２拍車ローラ４４Ａが記録用紙１４に最も圧力が大きい状態で当接する。この距離Ｌ２は、搬送ローラ対２１による記録用紙１４の挟持位置ＮＰ１から上流当接部材６２の当接部６２Ｃが記録用紙１４の上面に当接する位置までの距離Ｌ１よりも短くなっている。上流当接部材６２の当接部６２Ｃが記録用紙１４の上面に当接する位置は、第２搬送ローラ４２Ａの軸心ＣＬＲを含む搬送向きに沿った仮想平面ＶＦＲとの距離が最短になる位置に相当する。
【００８２】
図４、図５に示されるように、第１ガイド部材４６における幅方向９の両端部には第３拍車ローラ４５Ａがそれぞれ支持されている。各第３拍車ローラ４５Ａは、上流波形状付与機構６１における２個の端部当接部材６３のそれぞれのシート搬送向き６の下流に対応した位置であって、第２拍車ローラ４４Ａよりもシート搬送向き６の下流に対応する位置に配置されている。
【００８３】
第３拍車ローラ４５Ａは、第２拍車ローラ４４Ａと同様の構成になっている。第３拍車ローラ４５Ａは、図４に示されるように、第１ガイド部材４６に前後方向８に沿って設けられた第３ローラ支持部４６Ｎにローラ軸４５Ｂが回転可能に支持されている。図８に示されるように、第３拍車ローラ４５Ａ及び第２拍車ローラ４４Ａは、第２搬送ローラ４２Ａの軸心ＣＬＲを含む仮想平面ＶＦＲとの最短距離が略同一になっている。従って、第３拍車ローラ４５Ａ及び第２拍車ローラ４４Ａが記録用紙１４と当接する上下方向７の位置が略同一になっている。
【００８４】
図４に示されるように、第１ガイド部材４６には、全ての第２拍車ローラ４４Ａのそれぞれのシート搬送向き６の下流に対応する位置と、第３拍車ローラ４５Ａの各々のシート搬送向き６の下流に対応する位置とに、第４拍車ローラ４７Ａがそれぞれ支持されている。
【００８５】
第４拍車ローラ４７Ａは、第２拍車ローラ４４Ａと同様の構成になっており、第１ガイド部材４６に前後方向８に沿って設けられた第４ローラ支持部４６Ｘにローラ軸４７Ｂが回転可能に支持されている。図６及び図７に示されるように、第４拍車ローラ４７Ａ及び第２拍車ローラ４４Ａは、第２搬送ローラ４２Ａの軸心ＣＬＲを含む仮想平面ＶＦＲとの最短距離が略同一になっている。従って、第４拍車ローラ４７Ａ及び第２拍車ローラ４４Ａが記録用紙１４と当接する上下方向７の位置が略同一になっている。
【００８６】
図４〜図７に示されるように、第１ガイド部材４６におけるシート搬送向き６の上流端部には、幅方向９に沿って垂直に立設された壁面４６Ｋが設けられている。壁面４６Ｋは、プラテン３５のプラテン本体部３５Ａに対してシート搬送向き６の下流であって当該プラテン本体部３５Ａの近傍に位置している。壁面４６Ｋは、図５に示されるように、第１ガイド部材４６に支持された全ての第１拍車ローラ４３Ａが含まれる幅方向９に沿った第１範囲Ｆ１にわたって配置されている。
【００８７】
図９に示されるように、壁面４６Ｋの下端部には、シート搬送向き６の下流且つ下方に向かって延出した第１ガイド部４６Ｇが設けられている。第１ガイド部４６Ｇは、壁面４６Ｋにおける幅方向９の全域にわたって設けられており、従って上記第１範囲にわたって配置されている。
【００８８】
図６に示されるように、第１ガイド部４６Ｇは、搬送向き６及び上記幅方向９と直交する方向における第２搬送ローラ４２Ａの軸心との距離が搬送向き６の上流から下流になるにつれて短くなるように傾斜している。第１ガイド部４６Ｇには、第１ガイド部４６Ｇから突出した複数のガイドリブ４６Ｈが幅方向９に間隔を空けて設けられている。各ガイドリブ４６Ｈは、第１ガイド部４６Ｇの傾斜方向に沿って設けられており、各第１ガイド部４６Ｇにおける突出側の先端面は、第１ガイド部４６Ｇと同様に、搬送向き６及び上記幅方向９と直交する方向における第２搬送ローラ４２Ａの軸心との距離が搬送向き６の上流から下流になるにつれて短くなるように傾斜した第１ガイド面４６Ｊになっている。第１ガイド面４６Ｊは、図８に示されるように、プラテン３５の第２ガイド部材４８に設けられた下部ガイド面４８Ａに沿った仮想直線ＦＬ２と交差している。
【００８９】
図９に示されるように、第１ガイド部材４６における壁面４６Ｋの幅方向９の両側の端部には、それぞれ壁面４６Ｋの両外及びシート搬送向き６に延出した端部ガイド面４６Ｒが設けられている。端部ガイド面４６Ｒは、第１ガイド部４６Ｇが設けられた第１範囲Ｆ１に対して幅方向９の両外の第２範囲Ｆ２に配置されており、上記搬送向きの上流から下流になるにつれて上記第１範囲Ｆ１からの幅方向９に沿った距離が長くなるように傾斜している。換言すれば、端部ガイド面４６Ｒは、搬送向き６及び幅方向９に対して傾斜しており、シート搬送向き６における最下流位置が、最上流位置よりも幅方向９の両外に位置するように傾斜している。
【００９０】
図９及び図１０に示されるように、端部ガイド面４６Ｒの下端には、シート搬送向き６の下流及び下方に向かって延出した第２ガイド部４６Ｍが連続して設けられている。第２ガイド部４６Ｍは、端部ガイド面４６Ｒと同様に、第１範囲に対して幅方向９の両外の第２範囲Ｆ２に配置されている。第２ガイド部４６Ｍは、シート搬送向き６の上流から下流になるにつれて、第２搬送ローラ４２Ａの軸心ＣＬＲを含む仮想平面ＶＦＲに順次接近する傾斜状態の第２ガイド面４６Ｐを有している。第２ガイド面４６Ｐは、第１ガイド面４６Ｊと同様の傾斜状態であり、搬送向き６及び幅方向９とは直交する方向における第２搬送ローラ４２Ａの軸心との距離が上記搬送向きの上流から下流になるにつれて短くなるように傾斜している。
【００９１】
この場合、図１０に示されるように、搬送向き６における第１ガイド面４６Ｊが設けられた範囲において、搬送向き６及び幅方向９と直交する方向の第１ガイド面４６Ｊと第２搬送ローラ４２Ａの軸心との第５距離Ｌ５は、搬送向き６における第２ガイド面４６Ｐが設けられた範囲Ｆ３において、搬送向き６及び幅方向９と直交する方向における第２ガイド面と第２搬送ローラ４２Ａの軸心との第６距離Ｌ６より短くなっている。また、搬送向き６における第２ガイド面４６Ｐの最下流位置が、搬送向き６において第１拍車ローラ４３Ａと第２拍車ローラ４４Ａとの間に位置している。
【００９２】
第２ガイド面４６Ｐは、第１ガイド面４６Ｊと同様の傾斜状態になっているが、幅方向９の中央部において、当該第２ガイド面４６Ｐの傾斜方向に沿って段差４６Ｚが形成されている。段差４６Ｚは、各第２ガイド面４６Ｐにおける幅方向９の両外に位置する端部が、段差４６Ｚよりも幅方向９の中央に位置する部分よりもシート搬送向き６の下流に位置していることによって形成されている。
【００９３】
第２ガイド面４６Ｐは、第１ガイド面４６Ｊよりもシート搬送向き６の下流に位置しており、第２搬送ローラ４２Ａと第１拍車ローラ４３Ａとの間の挟持位置ＮＰ２に対して、シート搬送向き６の上流位置から下流位置にわたって配置されている。
【００９４】
図８に示されるように、第２拍車ローラ４４Ａの外周に沿った円形の第２仮想外周線ＶＬ２は、第１ガイド部材４６の第１ガイド面４６Ｊに対して、幅方向９に沿った視点において、第１ガイド面４６Ｊに沿った仮想直線ＦＬ１とは重ならない状態に配置されている。すなわち、第２拍車ローラ４４Ａの第２仮想外周線ＶＬ２は、仮想平面ＶＦＲとの距離が最短になる位置が、挟持位置ＮＰ２よりもシート搬送向き６の下流に位置している。
【００９５】
また、第１拍車ローラ４３Ａの第１仮想外周線ＶＬ１は、幅方向９に沿った視点において、第１ガイド面４６Ｊに沿った仮想直線ＦＬ１とは重ならない状態になっている。すなわち、第１拍車ローラ４３Ａも、幅方向９に沿った視点において、第１ガイド面４６Ｊに沿った仮想直線ＦＬ１よりもシート搬送向き６の下流に位置している。
【００９６】
［上流波形状付与機構、プラテン、下流波形状付与機構の作用］
このような構成の複合機１０では、給送トレイ１３内の記録用紙１４は、給送ガイド部材１５内の給送路１５Ｃから搬送ローラ対２１へ中央基準で搬送されると、第１搬送ローラ２２とピンチローラ２６とによって挟持されて、プラテン３５上に搬送される。このとき、７個の上流当接部材６２における当接部６２Ｃの先端部が、第１搬送ローラ対２１による記録用紙１４の挟持位置ＮＰ１から、距離Ｌ１だけ離れた位置において、第１搬送ローラ対２１によって搬送される記録用紙１４の上面に当接する。これにより、記録用紙１４は、それぞれの当接部６２Ｃによって下方に押し下げられる。また、記録用紙１４における幅方向９の両端部は、端部当接部材６３によってそれぞれ下方に押し下げられる。
【００９７】
プラテン３５におけるプラテン本体部３５Ａには、各当接部６２Ｃにおける幅方向９の両外にメインリブ３５Ｇが設けられているために、当該メインリブ３５Ｇに当接する部分が、下方に押し下げられず、それらメインリブ３５Ｇの間において当接部６２Ｃが当接した部分が凹状に窪んだ状態になる。これにより、記録用紙１４には、幅方向９に沿った波形状が付与される。この場合、記録用紙１４における凹状に窪んだ部分の下面は、サブリブ３５Ｈによって支持される。
【００９８】
プラテン３５上において幅方向９に沿った波形状が付与された記録用紙１４は、記録部３１の下方の所定位置において画像が記録される。その後、記録用紙１４は、下流波形状付与機構４１へ搬送される。
【００９９】
下流波形状付与機構４１では、プラテン３５上から搬送される記録用紙１４のシート搬送向き６の下流側の先端部が、第２ガイド部材４８に設けられた下部ガイド面３５Ｍに沿って案内される。このとき、下部ガイド面３５Ｍに沿った仮想直線ＦＬ２は、第１ガイド部材４６の第１ガイド面４６Ｊと交差しているために、下部ガイド面３５Ｍに沿って搬送される記録用紙１４のシート搬送向き６の下流側の先端部が、幅方向９の両端部を除いて、第１ガイド部材４６の第１ガイド面４６Ｊに当接し、第１ガイド面４６Ｊに沿ってシート搬送向き６の下流へ案内される。その後、幅方向９の両端部以外の記録用紙１４の先端部は、回転状態になった第１拍車ローラ４３Ａの外周面に当接し、第１拍車ローラ４３Ａと第２搬送ローラ４２Ａとの挟持位置ＮＰ２へ向かって案内される。
【０１００】
このとき、各第２拍車ローラ４４Ａは、シート搬送向き６とは直交する幅方向９に沿った視点において挟持位置ＮＰ２と重なった状態であって、第２拍車ローラ４４Ａの外周に沿った円形の第２仮想外周線ＶＬ２は、幅方向９に沿った視点において、第１ガイド面４６Ｊに沿った仮想直線ＦＬ１とは重ならない状態に配置されている。これにより、第１ガイド部材４６の第１ガイド面４６Ｊに沿って案内される記録用紙１４が、挟持位置ＮＰ２にて挟持される前に第２拍車ローラ４４Ａに当接する。なお、第２拍車ローラ４４Ａの配置によっては、記録用紙１４が、挟持位置ＮＰ２にて挟持されると同時に第２拍車ローラ４４Ａに当接する可能性がある。いずれの場合にも、記録用紙１４は、第２拍車ローラ４４Ａによって、容易に凹状に窪んだ状態とすることができる。その結果、記録用紙１４には、幅方向９に沿った波形状が付与される。
【０１０１】
また、第１ガイド面４６Ｊによって案内される記録用紙１４は、第２拍車ローラ４４Ａに対する突入角度（接触角度）が規制されるために、当該記録用紙１４が第２拍車ローラ４４Ａに当接する際に記録用紙１４に大きな負荷が加わるおそれがない。これにより、記録用紙１４が破損することが抑制され、第２拍車ローラ４４Ａでの紙詰まりの発生が抑制される。また、第２拍車ローラ４４Ａは、側面視において挟持位置と重なっているため、効果的に記録用紙１４を波打った状態とすることができる。従って、プラテン本体部３５Ａ上において、記録用紙１４にインクが付着して記録用紙１４の一部分が膨潤しても、コックリングの発生が抑制される。
【０１０２】
さらに、下流波形状付与機構４１において第２搬送ローラ４２Ａと第１拍車ローラ４３Ａとによる記録用紙１４の挟持位置ＮＰ２から第２拍車ローラ４４Ａが記録用紙１４と当接する位置までの搬送向きに沿った距離Ｌ２が、上流波形状付与機構６１において搬送ローラ対２１による記録用紙１４の挟持位置ＮＰ１から、上流当接部材６２の当接部６２Ｃが記録用紙１４の上面に当接する位置までの距離Ｌ１よりも短くなっている。
【０１０３】
この場合、上流当接部材６２が記録用紙１４に当接しない状態になる前に、第２拍車ローラ４４Ａが記録用紙１４に当接することになる。その結果、記録用紙１４の波形状を安定して維持することができる。
【０１０４】
さらには、第１拍車ローラ４３Ａの仮想外周線ＶＬ１は、幅方向９に沿った視点において、第１ガイド面４６Ｊに沿った仮想直線ＦＬ１とは重ならない状態になっている。これにより、記録用紙１４が第１拍車ローラ４３Ａに当接する際に記録用紙１４に大きな負荷が加わるおそれがない。その結果、記録用紙１４が破損することを抑制され、第１拍車ローラ４３Ａでの紙詰まりの発生を抑制することができる。
【０１０５】
その後、記録用紙１４は、第２搬送ローラ４２Ａと第１拍車ローラ４３Ａとによって挟持されて、シート搬送向き６の下流に搬送される。
【０１０６】
記録用紙１４における幅方向９の両端部は、両端部以外の部分が第１ガイド部材４６の第１ガイド面４６Ｊに案内された後に、第１ガイド部材４６における第２ガイド面４６Ｐに案内される。第２ガイド面４６Ｐに案内される記録用紙１４の幅方向９の両端部は、第２搬送ローラ４２Ａの上方を通過する。次いで、記録用紙１４における幅方向９の両端部は、それぞれ第３拍車ローラ４５Ａに当接する。これにより、記録用紙１４の各端部は、第３拍車ローラ４５Ａにり、シート搬送向き６の下流側部分から順番に押し下げられる。
【０１０７】
このように、記録用紙１４の幅方向９の両端部は、第１ガイド部材４６の第１ガイド面４６Ｊよりもシート搬送向き６の下流に位置する第２ガイド面４６Ｐに案内されるために、第３拍車ローラ４５Ａに円滑に当接して押し下げられる。従って、記録用紙１４が、第２拍車ローラ４４Ａとの当接により幅方向９に沿って波打った状態になって、幅方向９の両端部が上方に跳ね上がった状態であっても、第３拍車ローラ４５Ａによって確実に押し下げられる。その後、記録用紙１４は、第４拍車ローラ４７Ａによって排紙トレイ１７上に排出される。
【０１０８】
さらに、記録用紙１４が搬送向きに対して傾斜状態になっていると、記録用紙１４における搬送向きの下流に位置する幅方向９の一方の角部が端部ガイド面４６Ｒに案内されるために、第２ガイド面４６Ｐに対して大きな衝撃を受けずに当接する。
【０１０９】
［実施形態の作用効果］
本実施形態では、第１ガイド部材４６の第１ガイド面４６Ｊによって案内される記録用紙１４は、挟持位置ＮＰ２へ到達する前に、第２拍車ローラ４４Ａに当接する。これにより、第２拍車ローラ４４Ａは記録用紙１４を容易に凹状に窪んだ状態にできる。また、第１ガイド面４６Ｊによって案内される記録用紙１４は、第２拍車ローラ４４Ａに当接する前に、第１拍車ローラ４３Ａによって挟持位置ＮＰ２へ案内される。これにより、第２拍車ローラ４４Ａに大きな負荷が加わるおそれがなく、第２拍車ローラ４４Ａでの紙詰まりの発生を抑制できる。
【０１１０】
また、第１拍車ローラ４３Ａの第１仮想外周線ＶＬ１は、第１ガイド面４６Ｊに沿った仮想直線ＦＬ１よりもシート搬送向き６の下流に位置しているために、第１ガイド面４６Ｊに案内される記録用紙１４は、第２拍車ローラ４４Ａに当接する前に、第１拍車ローラ４３Ａによって挟持位置ＮＰ２へ案内される。その結果、第１拍車ローラ４３Ａに大きな負荷が加わるおそれがなく、第１拍車ローラ４３Ａでの紙詰まりの発生を抑制できる。
【０１１１】
第１ガイド部材４６に設けられた第３拍車ローラ４５Ａは、第１拍車ローラ４３Ａよりも仮想平面ＶＦＲに近接した位置であって、第２拍車ローラ４４Ａよりもシート搬送向き６の下流に配置されている。これにより、記録用紙１４における幅方向９の端部が、第３拍車ローラ４５Ａによって確実に押し下げられる。
【０１１２】
第１ガイド部材４６に設けられた第２ガイド面４６Ｐは、第１ガイド面４６Ｊよりもシート搬送向き６の下流に位置している。これにより、記録用紙１４の幅方向９の両端部が上方に跳ね上がった状態であっても、円滑に第３拍車ローラ４５Ａへ案内されて、第３拍車ローラ４５Ａによって確実に押し下げられる。
【０１１３】
第２ガイド面４６Ｐは、シート搬送向き６において、挟持位置ＮＰ２の上流から下流まで延びている。これにより、記録用紙１４における幅方向９の両端部が第２ガイド面４６Ｐによって安定的に第３拍車ローラ４５Ａに案内される。
【０１１４】
第１ガイド部材４６は、第１拍車ローラ４３Ａ、第２拍車ローラ４４Ａ、第３拍車ローラ４５Ａを支持することから、第１拍車ローラ４３Ａ、第２拍車ローラ４４Ａ、第３拍車ローラ４５Ａのそれぞれの位置決めが容易になる。
【０１１５】
第２拍車ローラ４４Ａの第２仮想外周線ＶＬ２は、仮想平面ＶＦＲとの距離が最短になる位置ＬＰが、挟持位置ＮＰ２よりもシート搬送向き６の下流に位置している。これにより、挟持位置ＮＰ２よりもシート搬送向き６の下流で第２拍車ローラ４４Ａによって記録用紙１４に負荷が加わるために、第２拍車ローラ４４Ａの当接時に記録用紙１４に加わる負荷を抑制でき、紙詰まり、記録用紙１４の破損等の発生を抑制できる。
【０１１６】
第２ガイド部材４８は、第１ガイド部材４６と対向し、記録用紙１４を挟持位置ＮＰ２へ案内する下部ガイド面４８Ａを有しており、幅方向９に沿った視点において、第１ガイド面４６Ｊに沿った仮想直線ＦＬ１は、下部ガイド面４８Ａと交差している。
【０１１７】
この場合、第２ガイド部材４８の下部ガイド面４８Ａに案内される記録用紙１４は、第１ガイド部材の第１ガイド面１６Ｊによってガイドされて記録用紙１４の先端が挟持位置ＮＰ２に向けられた後に、第２拍車ローラ４４Ａに当接する。これにより、記録用紙１４が第２拍車ローラ４４Ａに当接する際に記録用紙１４に大きな負荷が加わるおそれがなく、第２拍車ローラ４４Ａでの紙詰まりの発生を抑制できる。
【０１１８】
第２ガイド部材４８は、第２搬送ローラ４２Ａのローラ軸４２Ｂに当接して、下部ガイド面４８Ａが第２挟持位置ＮＰ２に対して所定の状態になっていることから、記録用紙１４を第２搬送ローラ４２Ａに対して安定的に搬送することができる。
【０１１９】
［変形例］
上記実施形態では、第１拍車ローラ４３Ａの外周に沿った円形の第１仮想外周線ＶＬ１は、幅方向９に沿った視点において、仮想直線ＦＬ１に重ならない構成であった。しかし、第１拍車ローラ４３Ａは、記録用紙１４の搬送時に排出ローラ４２Ａの回転に追従して回転するために、挟持位置ＮＰ２において第１拍車ローラ４３が記録用紙１４へ与える負荷が小さいので、第１仮想外周線ＶＬ１は仮想直線ＦＬ１に重なってもよい。また、第１ガイド部材４６に第３拍車ローラ４５Ａが設けられていない構成や、第１ガイド部材４６に第２ガイド面４６Ｐが設けられていない構成が採用されてもよい。この場合には、第１ガイド部材４６における第２領域Ｆ２は、第１ガイド部４６Ｇと同様の傾斜面が設けられる。
【０１２０】
さらに、第１拍車ローラ４３Ａ、第２拍車ローラ４４Ａ、第３拍車ローラ４５Ａは、第１ガイド部材４６に支持する構成に限らず、第１ガイド部材４６とは別の部材によって支持する構成であってもよい。
【０１２１】
第２拍車ローラ４４Ａの第２仮想外周線ＶＬ２は、仮想平面ＶＦＲとの距離が最短になる位置が、挟持位置ＮＰ２よりも搬送向きの下流に位置している構成に限らず、上流に位置する構成であってもよい。
【０１２２】
第２ガイド部材４８は、第２搬送ローラ４２Ａのローラ軸４２Ｂに当接して位置決めされる構成に限らず、例えば、他の部材に対して位置決めされる構成にしてもよい。
【符号の説明】
【０１２３】
１０・・・・複合機
１１・・・・装置本体
１４・・・・記録用紙
２１・・・・搬送ローラ対
３１・・・・記録部
３４・・・・ノズル
３５・・・・プラテン
３５Ａ・・・プラテン本体部
４１・・・・下流波形状付与機構
４２Ａ・・・第２搬送ローラ
４２Ｂ・・・ローラ軸
４３Ａ・・・第１拍車ローラ
４４Ａ・・・第２拍車ローラ
４５Ａ・・・第３拍車ローラ
４６・・・・第１ガイド部材
４６Ｊ・・・第１ガイド面
４６Ｐ・・・第２ガイド面
４８・・・・第２ガイド部材
４８Ａ・・・下部ガイド面（第３ガイド面）
６１・・・・上流波形状付与機構
６２・・・・上流当接部材
６２Ｃ・・・当接部
【図１】
0006372372.tif 000002
【図２】
0006372372.tif 000003
【図３】
0006372372.tif 000004
【図４】
0006372372.tif 000005
【図５】
0006372372.tif 000006
【図６】
0006372372.tif 000007
【図７】
0006372372.tif 000008
【図８】
0006372372.tif 000009
【図９】
0006372372.tif 000010
【図１０】
0006372372.tif 000011